(57)【要約】【課題】  本発明は接地線を電柱内に収納しておき、接地測定時には簡単に接地線引出孔より引出して測定することができる、設置作業が容易で、かつ構造が簡単で、安価に製造することができるとともに、接地線引出孔をきれいに覆うことができる接地線引出留具を得るにある。【解決手段】  電柱の接地線引出孔に着脱可能に嵌合させることができ、かつ挿入された接地線を接地線引出孔より出し入れ可能の先端部にヒンジ部が形成された開閉可能な接地線引出留具本体と、この接地線引出留具本体の先端部寄りに形成された接地線挿入凹部と、前記接地線引出留具本体の後端部に形成された、該接地線引出留具本体を接地線引出孔より冶具を用いて抜き取るための係止片とで接地線引出留具を構成している。【選択図】  図１
2005184949.tif 000002
【特許請求の範囲】
【請求項１】
電柱の接地線引出孔に着脱可能に嵌合させることができ、かつ挿入された接地線を接地線引出孔より出し入れ可能の先端部にヒンジ部が形成された開閉可能な接地線引出留具本体と、この接地線引出留具本体の先端部寄りに形成された接地線挿入凹部と、前記接地線引出留具本体の後端部に形成された、該接地線引出留具本体を接地線引出孔より冶具を用いて抜き取るための係止片とからなることを特徴とする接地線引出留具。
【請求項２】
電柱の接地線引出孔に着脱可能に嵌合させることができる、両端部に接地線を位置できる小幅寸法に形成された先端部にヒンジ部が形成された開閉可能な接地線引出留具本体と、この接地線引出留具本体の前記ヒンジ部を除く部位に形成された接地線挿入凹部と、前記接地線引出留具本体の後端部に形成された接地線引出孔を覆うカバー板および、該接地線引出留本体を接地線引出孔より冶具を用いて抜き取るための係止片とからなることを特徴とする接地線引出留具。
【発明の詳細な説明】
【技術分野】
【０００１】
本発明は電柱の接地線を接地測定時に接地線引出孔より引き出すことができる接地線引出留具に関する。
【背景技術】
【０００２】
従来、地上高２ｍ以上に位置する接地線引出孔より接地線の一部を接地測定用に引出している。
【０００３】
しかしながら、歩道の新設等で土盛りされて地上高２ｍ未満になると電気設備技術基準から見て設備不良となり、改修工事が必要になるという欠点があった。
また、この欠点を改良するために、地上高２ｍ未満になっても接地線を電柱内に位置させておくことができる接地線引出孔に嵌合固定する嵌合片と、この嵌合  片に形成された貫通孔と外周部を通過する接地線取付リングと、この接地線取付リングと接地線とを接続する接続スリーブとからなる接地線引出留具を用いることも考えられているが、設置作業に手数がかかるとともに、部品点数が多く、コスト高になるという欠点があった。
【特許文献１】特になし
【発明の開示】
【発明が解決しようとする課題】
【０００４】
本発明は以上のような従来の欠点に鑑み、接地線を電柱内に収納しておき、接地測定時には簡単に接地線引出孔より引出して測定することができる、設置作業が容易で、かつ構造が簡単で、安価に製造することができるとともに、接地線引出孔をきれいに覆うことができる接地線引出留具を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は電柱の接地線引出孔に着脱可能に嵌合させることができ、かつ挿入された接地線を接地線引出孔より出し入れ可能の先端部にヒンジ部が形成された開閉可能な接地線引出留具本体と、この接地線引出留具本体の先端部寄りに形成された接地線挿入凹部と、前記接地線引出留具本体の後端部に形成された、該接地線引出留具本体を接地線引出孔より冶具を用いて抜き取るための係止片とで接地線引出留具を構成している。
【発明の効果】
【０００７】
以上の説明から明らかなように、本発明にあっては次に列挙する効果が得られる。
【０００８】
（１）電柱の接地線引出孔に着脱可能に嵌合させることができ、かつ挿入された接地線を接地線引出孔より出し入れ可能の先端部にヒンジ部が形成された開閉可能な接地線引出留具本体と、この接地線引出留具本体の先端部寄りに形成された接地線挿入凹部とからなるので、接地線挿入凹部に接地線を通過させ、接地線引出留具本体を閉じて接地線引出孔に押し込むことにより、係止した状態で電柱の内部に接地線を位置させることができる。
したがって、歩道の新設等で土盛りされて、接地線引出孔の位置が地上高２ｍ未満になっても電気設備技術基準をクリアでき、改修工事が不要で、経済的に設置することができる。
【０００９】
（２）前記（１）によって、接地線引出孔内に接地線引出留具本体を押し込み嵌合したり、引出す作業でよいので、容易に接地線の引出し、収納作業を行なうことができる。
【００１０】
（３）前記（１）によって、構造が簡単であるので、製造が容易で、安価に製造することができる。
【００１１】
（４）接地線引出留具本体の後端部に、該接地線引出留具本体を接地線引出孔より治具を用いて抜き取るための係止片が形成されているので、ペンチやニッパー等の治具を用いて容易に抜き取り、接地線を外部へ引出すことができる。
したがって、接地測定を容易で短時間に行なうことができ、コストの低減を図ることができる。
【００１２】
（５）前記（１）〜（４）によって、全体を１個の部品となるように形成することができるので、部品点数が少なく、安価に製造することができる。
【００１３】
（６）請求項２も前記（１）〜（５）と同様な効果が得られる。
【発明を実施するための最良の形態】
【００１４】
以下、図面に示す本発明を実施するための最良の形態より、本発明を詳細に説明する。
【００１５】
図１ないし図１０に示す本発明を実施するための最良の第１の形態において、１は合成樹脂材で成型された本発明の接地線引出留具で、この接地線引出留具１は電柱２の接地線引出孔３に着脱可能に嵌合させることができ、かつ挿入された接地線４を接地線引出孔３より出し入れ可能の先端部にヒンジ部５が形成された開閉可能な接地線引出留具本体６と、この接地線引出留具本体６の先端部寄りに形成された接地線挿入凹部７、７と、前記接地線引出留具本体６の後端部に形成された、該接地線引出留具本体６を接地線引出孔３よりペンチやニッパー等の治具８を用いて抜き取るための端部に係止突部９、９を有する係止片１０、１０とで構成されている。
【００１６】
前記接地線引出留具本体６は両端部が接地線引出孔３と嵌合する寸法に形成され、先端部が小幅寸法に形成された一対のベース板１１、１１と、このベース板１１、１１の外側面ほぼ中央部より直角方向に突出し、接地線引出孔３と嵌合する先端部が小幅寸法に形成された嵌合補強板１２、１２と、前記一対のベース板１１、１１の後端と一体形成された接地線引出孔３の開口部を覆う半円弧形状のカバー板１３、１３と、前記一対のベース板１１、１１の先端部の幅寸法と同じ幅寸法に形成された、該一対のベース板１１、１１の先端部を一体的に結合する薄肉のヒンジ部５とで構成されている。
【００１７】
前記接地線引出留具本体６の先端部寄りに形成された接地線挿入凹部７、７は該接地線挿入凹部７、７に接地線４を挿入して接地線引出留具本体６を閉じた状態で、接地線挿入凹部壁７ａ、７ａと前記ヒンジ部５とが分離され、引き抜き時に接地線４がヒンジ部５に応力を加えるのを阻止できるように形成されている。
【００１８】
上記構成の接地線引出留具１は開放して、接地線挿入凹部７、７に電柱２の接地線引出孔３より引出されている接地線４を位置させ、接地線引出留具本体６を閉じ、先端部の両側部に沿うように接地線４を曲げて接地線引出孔３に挿入できるようにし、外部に出ている接地線４を接地線引出孔３内に押し込むとともに、接地線引出留具１も押し込むことにより、接地線引出孔３内に嵌合させることができる。
【００１９】
５年に１度の接地測定時には、ペンチやニッパー等の治具８で接地線引出留具１の係止片１０、１０を挟着して引き抜くことにより、接地線引出孔３より接地線引出留具１および該接地線引出留具１に係止されている接地線４が外部に引出される。
この状態で、通常の接地測定を行なうが、接地線４の切断部は、Ｂ型スリーブ１４は絶縁テープ１５で処理して電柱２内に収納する。
[発明を実施するための異なる形態]
【００２０】
次に、図１１ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１１ないし図１３に示す本発明を実施するための第２の形態において、前記本発明を実施するための最良の第１の形態と主に異なる点は、接地線挿入凹部壁７ａがヒンジ部として機能するように形成した接地線引出留具本体６Ａを用いた点で、このように形成された接地線引出留具本体６Ａを用いて構成した接地線引出留具１Ａにしても、前記本発明を実施するための最良の第１の形態と同様な作用効果が得られる。
【００２２】
図１４ないし図１６に示す本発明を実施するための第３の形態において、前記本発明を実施するための最良の第１の形態と主に異なる点は、半円柱状に形成したベース板１１Ａ、１１Ａを用いた接地線引出留具本体６Ｂと、この接地線引出留具本体６Ｂの後端部に形成されたフック状の治具８Ａが挿入される挿入孔１６、１６が形成された係止片１０Ａ、１０Ａとを用いた点で、このように構成した接地線引出留具１Ｂにしても、前記本発明を実施するための最良の第１の形態と同様な作用効果が得られる。
【００２３】
図１７ないし図１９に示す本発明を実施するための第４の形態において、前記本発明を実施するための最良の第１の形態と主に異なる点は、可撓性の金属板１７をインサートしてヒンジ部５Ａにした接地線引出留具本体６Ｃを用いた点で、このように形成された接地線引出留具本体６Ｃを用いて構成した接地線引出留具１Ｃにしても、前記本発明を実施するための最良の第１の形態と同様な作用効果が得られる。
【産業上の利用可能性】
【００２４】
本発明は接地線引出留具を製造する産業および、これを設置する産業で利用される。
【図面の簡単な説明】
【００２５】
【図１】本発明を実施するための最良の第１の形態の使用状態の説明図。
【図２】本発明を実施するための最良の第１の形態の引出した状態の説明図。
【図３】図１の３−３線に沿う断面図。
【図４】本発明を実施するための最良の第１の形態の正面図。
【図５】本発明を実施するための最良の第１の形態の平面図。
【図６】本発明を実施するための最良の第１の形態の底面図。
【図７】本発明を実施するための最良の第１の形態の側面図。
【図８】本発明を実施するための最良の第１の形態の開放状態の説明図。
【図９】本発明を実施するための最良の第１の形態の接地線を取付けた状態の説明図。
【図１０】本発明を実施するための最良の第１の形態の引き抜く状態の説明図。
【図１１】本発明を実施するための第２の形態の正面図。
【図１２】本発明を実施するための第２の形態の側面図。
【図１３】本発明を実施するための第２の形態の開放状態の説明図。
【図１４】本発明を実施するための第３の形態の正面図。
【図１５】本発明を実施するための第３の形態の側面図。
【図１６】本発明を実施するための第３の形態の引き抜く状態の説明図。
【図１７】本発明を実施するための第４の形態の正面図。
【図１８】本発明を実施するための第４の形態の側面図。
【図１９】本発明を実施するための第４の形態の開放状態の説明図。
【符号の説明】
【００２６】
１、１Ａ、１Ｂ、１Ｃ：接地線引出留具、
２：電柱、                ３：接地線引出孔、
４：接地線、              ５、５Ａ：ヒンジ部、
６、６Ａ、６Ｂ、６Ｃ：接地線引出留具本体、
７：接地線挿入凹部、      ８、８Ａ：治具、
９：係止突部、            １０、１０Ａ：係止片、
１１、１１Ａ：ベース板、  １２：補強板、
１３：カバー板、          １４：Ｂ型スリーブ、
１５：絶縁テープ、        １６：挿入孔、
１７：金属板。
【図１】
2005184949.tif 000003
【図２】
2005184949.tif 000004
【図３】
2005184949.tif 000005
【図４】
2005184949.tif 000006
【図５】
2005184949.tif 000007
【図６】
2005184949.tif 000008
【図７】
2005184949.tif 000009
【図８】
2005184949.tif 000010
【図９】
2005184949.tif 000011
【図１０】
2005184949.tif 000012
【図１１】
2005184949.tif 000013
【図１２】
2005184949.tif 000014
【図１３】
2005184949.tif 000015
【図１４】
2005184949.tif 000016
【図１５】
2005184949.tif 000017
【図１６】
2005184949.tif 000018
【図１７】
2005184949.tif 000019
【図１８】
2005184949.tif 000020
【図１９】
2005184949.tif 000021